(57)【特許請求の範囲】
【請求項１】
原稿載置面に載置された原稿の読取面に光を照射する照明手段と、原稿の読取面に照射された光により読取面を撮像する撮像手段と、撮像手段より出力される信号から画像信号データを生成する画像読取装置のフレア補正データ計測方法であって、
読取面が拡散反射面で形成された計測用原稿に点光源を設け、点光源から出射する光により読取面の全面から反射した光を撮像手段で撮像し、撮像手段より出力される信号から点光源の発光画像領域を基本単位とした画像領域に分割した画像信号強度分布データを生成し、生成した画像信号強度分布データをフレア強度分布データに変換し、変換したフレア強度分布データとあらかじめ照明手段を発光して検出した読取面の照度分布データとからフレア補正データを算出することを特徴とするフレア補正データ計測方法。
【請求項２】
前記フレア強度分布データと読取面の照度分布データを各画像領域毎に乗算してフレア補正データを算出する請求項１記載のフレア補正データ計測方法。
【請求項３】
請求項１又は２記載のフレア補正データ計測方法で算出したフレア補正データを使用したフレア補正方法であって、
照明手段を発光して読み取った原稿の画像信号データとあらかじめ算出したフレア補正データとによりフレア成分を補正した画像信号データを生成することを特徴とするフレア補正方法。
【請求項４】
前記読み取った原稿の画像信号データをフレア補正データの画像領域ごとに分割し、分割した画像信号データの注目データに対し、注目データ以外の画像領域に対応したフレア補正データとのマトリックス計算から原稿面反射フレア量を算出し、注目データから算出した原稿面反射フレア量を減算してフレア成分を補正した画像信号データを生成する請求項３記載のフレア補正方法。
【請求項５】
原稿載置面に載置された原稿の読取面に光を照射する照明手段と、原稿の読取面に照射された光により読取面を撮像する撮像手段と、撮像手段より出力される信号から画像信号データを生成する画像読取装置のフレア補正方法であって、
読取面が拡散反射面で形成された計測用原稿に点光源を設け、点光源から出射する光により読取面の全面から反射した光を撮像手段で撮像し、撮像手段より出力される信号から点光源の発光画像領域を基本単位とした画像領域に分割した画像信号強度分布データを生成し、生成した画像信号強度分布データをフレア強度分布データに変換し、変換したフレア強度分布データとあらかじめ照明手段を発光して検出した読取面の照度分布データとから前記照明手段を発光して読み取った原稿の画像信号データのフレア補正を行うことを特徴とするフレア補正方法。
【請求項６】
前記読み取った原稿の画像信号データをフレア強度分布データの画像領域ごとに分割し、分割した画像信号データの注目データに対し、注目データ以外の画像領域に対応したフレア強度分布データと照度分布データのマトリックス計算から原稿面反射フレア量を算出し、注目データから算出した原稿面反射フレア量を減算してフレア成分を補正した画像信号データを生成する請求項５記載のフレア補正方法
【請求項７】
請求項１又は２記載のフレア補正データ計測方法の処理プログラムを格納したことを特徴とする記憶媒体。
【請求項８】
請求項３乃至６のいずれかに記載のフレア補正方法の処理プログラムを格納したことを特徴とする記憶媒体。
【請求項９】
請求項１又は２記載のフレア補正データ計測方法の処理プログラム及び請求項３乃至６のいずれかに記載のフレア補正方法の処理プログラムを格納したことを特徴とする記憶媒体。
【請求項１０】
原稿の読取面に光を照射する照明手段と、原稿の読取面に照射された光により読取面を撮像する撮像手段と、撮像手段より出力される信号から画像信号データを生成する画像読取装置において、
演算処理手段と記憶手段とを有し、
演算処理手段は、読取面が拡散反射面で形成され点光源を有する計測用原稿が原稿載置面に載置されて点光源を発光させたときに、点光源から出射する光により読取面の全面から反射した光を撮像手段で撮像し、撮像手段より出力される信号から点光源の発光画像領域を基本単位とした画像領域に分割した画像信号強度分布データを生成し、生成した画像信号強度分布データをフレア強度分布データに変換し、変換したフレア強度分布データとあらかじめ照明手段を発光して検出した読取面の照度分布データとからフレア補正データを算出して記憶手段に記憶させ、
照明手段を発光して読み取った原稿の画像信号データと記憶手段に記憶したフレア補正データとによりフレア成分を補正した画像信号データを生成することを特徴とする画像読取装置。
【請求項１１】
上記記憶手段に、原稿の特定領域毎に複数のフレア補正データを記憶した請求項１０記載の画像読取装置。
【請求項１２】
上記記憶手段に、原稿を読み取るときの変倍率毎に複数のフレア補正データを記憶した請求項１０記載の画像読取装置。
【請求項１３】
上記演算手段は、等倍時のフレア補正データから原稿を読み取るときの変倍率に応じたフレア補正データを算出する請求項１０記載の画像読取装置。
【請求項１４】
原稿の読取面に光を照射する照明手段と、原稿の読取面に照射された光により読取面を撮像する撮像手段と、撮像手段より出力される信号から画像信号データを生成する画像読取装置において、
照度分布データ記憶手段と演算処理手段及びフレア強度分布データ記憶手段とを有し、
照度分布データ記憶手段には、あらかじめ照明手段を発光して検出した読取面の照度分布データを記憶し、
演算処理手段は、読取面が拡散反射面で形成され点光源を有する計測用原稿が原稿載置面に載置されて点光源を発光させたときに、点光源から出射する光により読取面の全面から反射した光を撮像手段で撮像し、撮像手段より出力される信号から点光源の発光画像領域を基本単位とした画像領域に分割した画像信号強度分布データを生成し、生成した画像信号強度分布データをフレア強度分布データに変換し、変換したフレア強度分布データをフレア強度分布データ記憶手段に記憶させ、
照明手段を発光して読み取った原稿の画像信号データとフレア強度分布データ記憶手段に記憶したフレア強度分布データと照度分布データ記憶手段に記憶した照度分布データとによりフレア補正した画像信号データを生成することを特徴とする画像読取装置。
【請求項１５】
上記フレア強度分布データ記憶手段に、原稿の特定領域毎に複数のフレア強度分布データを記憶した請求項１４記載の画像読取装置。
【請求項１６】
上記フレア強度分布データ記憶手段に、原稿を読み取るときの変倍率毎に複数のフレア強度分布データを記憶した請求項１４記載の画像読取装置。
【請求項１７】
請求項１０乃至１６のいずれかに記載の画像読取装置を有することを特徴とする画像形成装置。
【発明の詳細な説明】
【０００１】
【発明の属する技術分野】
この発明は、スキャナ装置や複写機等で原稿の画像を読み取るときに、原稿を読み取る入射光の散乱や反射により生じる擬似信号であるフレアを補正するためのフレア補正データを計測するフレア補正データ計測方法とフレア補正方法と、これらのプログラムを格納した記憶媒体と、画像読取装置及び画像形成装置に関するものである。
【０００２】
【従来の技術】
【特許文献１】
特開平７−２３２２６号公報
【特許文献２】
特開平１０−４８０４８号公報
【特許文献３】
特開平１０−１１２７９９号公報
【特許文献４】
特開平１１−３５５６３６号公報
【特許文献５】
特開平９−２９８６６６５号公報
スキャナ装置や複写機の画像読取装置で原稿の画像を読み取るとき、図２３に示すように、光源１２から出射された照明光のうち、コンタクトガラス１０に載置された原稿１１の撮像領域９０でない領域に照射された光が原稿１１から反射し、例えばリフレクター１３等で反射したり散乱して、撮像領域９０を照射する現象である。本現象が画像読取装置にて発生した場合、撮像領域９０に照射して擬似信号であるフレアを発生させる。このフレアにより撮像領域周辺の原稿の画像濃度に変化が生じ、読取信号レベルが変化して画像読取不良が発生する。
【０００３】
このフレアの影響を排除するために、例えばリフレクター等の表面を黒塗装などして表面反射を低減するようにしている。このようにリフレクター等の表面を塗装することによりコストアップとなるため、フレア光が発生する部位のみに限定して塗装を施すことが望ましいが、フレア光が発生する部位を特定するためには、リフレクター等のフレア光画発生すると予測される部位毎に黒塗装を施して、読み取った画像から評価する必要があり、評価に時間がかかり、かつ効果が限定的であった。
【０００４】
また、複写機等で原稿を読込む場合、地飛ばしといわれる画像処理により原稿の背景を処理している。すなわち、薄い背景色をもつ原稿などは、地飛ばし処理により薄い背景色の階調を消して記録用紙そのものの色となるようにしている。また、背景色を維持するため地飛ばし処理を行わないと、照明光が撮像領域以外の原稿面で反射し、その光が光学系に戻って、今度は撮像領域を照明することで発生すると考えられる原稿面反射フレアの影響により、黒い領域と黒い領域に挟まれた白っぽい領域が黒っぽく汚れて複写される。さらに、省エネルギ化のため、読取光源はハロゲン光源からキセノン光源へ移行する傾向にあるが、キセノン光源の方がハロゲン光源より原稿面反射フレアの影響が強いことが知られており、その対策が必要である。
【０００５】
そこで例えば特許文献１に示された画像読取装置は、注目画素Ｓｘｙから得られる出力信号から、注目画素Ｓｘｙから得られる出力信号と周辺画素ＰＳｘｙから得られる出力信号と読み取り固有の係数とを乗算した値を減算して、原稿の濃度を忠実に読み取るようにしている。これは原稿反射率をＲとするとラインセンサー出力Ｓが原稿反射率Ｒに比例するだけでなく原稿反射率Ｒの高次の影響を受け、原稿読取装置の照明系に依存する係数をα（例えばα＝0.1〜0.15）とすると、ラインセンサー出力Ｓは、反射率１００％の出力をＳ＝１で規格して、
Ｓ∝Ｒ＋αＲ２＋αＲ３＋・・・
が成り立つという前提に立っている。そして、注目画素の補正出力ＣＳｘｙを下記補正式により補正している。
ＣＳｘｙ＝Ｓｘｙ−αΣ（Ｓｘｙ・ＰＳｘｙ）／Σｎｘｙ
但しΣｎｘｙは周辺画素数の和
【０００６】
また、特許文献２に示す画像評価方法は、図２３（ａ）に示すように、計測位置９１を中心とする白い円形状画像９２と、円形状画像９２の周囲の１方向のみに白い扇状で形成された検出領域９３と、検出領域９３以外の部分が黒くなっている計測パターン９４を計測対象の画像読取装置で読み取り、読み取った画像の計測位置の画像信号強度により原稿面によるフレア量を検出している。そして計測位置９１に対して検出領域９３の位置を変更して、計測位置９１の全周囲のフレア量を検出するようにしている。この計測結果データは、図２３（ｂ）に示すように、計測位置の画像強度信号で表わされる。この場合、検出領域が計測位置に対して右側にあったとき、特に強いフレアが発生していることを示す。
【０００７】
特許文献３に示されたフレア補正方法は、撮像域を面要素に分割し、注目する２次元画像データの位置をｉ、任意の２次元画像データの位置をｊ、２次元画像データＩ（ｉ），Ｉ（ｊ）間の距離をｒ（ｉ，ｊ）として、各面要素に対するフレア量をフレア広がり関数ｆ｛ｒ（ｉ，ｊ）｝として求めておき、読取られた２次元画像データＩ（ｉ）に、関数ｆを用いた補正式を適用してフレア補正をするようにしている。
【０００８】
また、特許文献４に示された撮像装置は、絞りや焦点距離が変動するＣＣＤカメラにおいて、撮像光学系で生じるフレアゴーストを補正し軽減するようにしている。
【０００９】
さらに、特許文献５に示す画像処理装置では、読取り誤差補正部により原稿中の白地上の細線領域を検出し、細線領域における濃度低下を補正するようにしている。
【００１０】
【発明が解決しようとする課題】
特許文献１に示された画像読取装置において、ラインセンサー出力Ｓ＝１とすると注目画素の補正出力ＣＳｘｙ＝１−αとなり、αは照り返し総量からの概算でしかなく、αの導出方法も開示されておらず実施には困難が予想される。また、実際には原稿面のランプ光量分布とそれに対する画素読取位置により照り返し条件が変動することが知られており、この条件が補正式に加味されていないため、補正精度がわるいという短所がある。
【００１１】
また、特許文献２に示す画像評価方法では、１回の計測で１方向のフレア量しか検出できないとともに、任意読取位置からの距離とフレア量の関係も把握することができないという短所がある。
【００１２】
特許文献３に示すフレア補正方法は、注目画像データに対してフレアの影響をｒ（ｉ，ｊ）という距離のみで補正し、方向を考慮していないためフレア補正の精度が低下するという短所がある。
【００１３】
さらに、特許文献４に示す撮像装置は、光学系に絞りがなく、焦点距離は常に一定であるスキャナ装置等とは構成が大きく異なり、補正対象とするフレアも違うため、原稿面反射フレアを精度良く補正できないという短所がある。
【００１４】
また、特許文献５に示すように、原稿中の白地上の細線領域における濃度低下を補正する場合は、白地上の低コントラスト文字の濃度が低下するのを補正することを目的としており、文字や絵などが混在した任意の画像からフレアに影響された成分を補正することができないという短所がある。
【００１５】
この発明はかかる短所を改善し、原稿を読み取る入射光の散乱や反射により生じる擬似信号であるフレアを補正するためのフレア補正データを精度良く計測することができるフレア補正データ計測方法と、フレア補正データにより読取り画像データを高精度に補正するフレア補正方法と、これらのプログラムを格納した記憶媒体と、フレア補正データを精度良く計測し、読取り画像データを高精度に補正して良質な画像を出力することができる画像読取装置及び画像形成装置を提供することを目的とするものである。
【００１６】
【課題を解決するための手段】
この発明に係るフレア補正データ計測方法は、原稿載置面に載置された原稿の読取面に光を照射する照明手段と、原稿の読取面に照射された光により読取面を撮像する撮像手段と、撮像手段より出力される信号から画像信号データを生成する画像読取装置のフレア補正データ計測方法であって、読取面が拡散反射面で形成された計測用原稿に点光源を設け、点光源から出射する光により読取面の全面から反射した光を撮像手段で撮像し、撮像手段より出力される信号から点光源の発光画像領域を基本単位とした画像領域に分割した画像信号強度分布データを生成し、生成した画像信号強度分布データをフレア強度分布データに変換し、変換したフレア強度分布データとあらかじめ照明手段を発光して検出した読取面の照度分布データとからフレア補正データを算出することを特徴とする。
【００１７】
上記フレア強度分布データと読取面の照度分布データを各画像領域毎に乗算して原稿面に応じたフレア補正データを算出する。
【００１８】
この発明のフレア補正方法は、上記フレア補正データ計測方法で算出したフレア補正データを使用したフレア補正方法であって、照明手段を発光して読み取った原稿の画像信号データとあらかじめ算出したフレア補正データとによりフレア成分を補正した画像信号データを生成し、読み取った画像をフレアを除去した品質の良い画像に変換することを特徴とする。
【００１９】
このフレアを補正するときに、読み取った原稿の画像信号データをフレア補正データの画像領域ごとに分割し、分割した画像信号データの注目データに対し、注目データ以外の画像領域に対応したフレア補正データとのマトリックス計算から原稿面反射フレア量を算出し、注目データから算出した原稿面反射フレア量を減算してフレア成分を補正した画像信号データを生成し、読取画像の品質を良くする。
【００２０】
この発明の他のフレア補正方法は、原稿載置面に載置された原稿の読取面に光を照射する照明手段と、原稿の読取面に照射された光により読取面を撮像する撮像手段と、撮像手段より出力される信号から画像信号データを生成する画像読取装置のフレア補正方法であって、読取面が拡散反射面で形成された計測用原稿に点光源を設け、点光源から出射する光により読取面の全面から反射した光を撮像手段で撮像し、撮像手段より出力される信号から点光源の発光画像領域を基本単位とした画像領域に分割した画像信号強度分布データを生成し、生成した画像信号強度分布データをフレア強度分布データに変換し、変換したフレア強度分布データとあらかじめ照明手段を発光して検出した読取面の照度分布データとから照明手段を発光して読み取った原稿の画像信号データのフレア補正を行うことを特徴とする。このフレアを補正するとき、読み取った原稿の画像信号データをフレア強度分布データの画像領域ごとに分割し、分割した画像信号データの注目データに対し、注目データ以外の画像領域に対応したフレア強度分布データと照度分布データのマトリックス計算から原稿面反射フレア量を算出し、注目データから算出した原稿面反射フレア量を減算してフレア成分を補正した画像信号データを生成し、読み取り画像の品質を高める。
【００２１】
この発明の記憶媒体は、上記フレア補正データ計測方法の処理プログラムとフレア補正方法の処理プログラムのいずれか一方又は両方を格納し、フレア補正データ計測処理やフレア補正処理の汎用性を高める。
【００２２】
この発明の画像読取装置は、原稿の読取面に光を照射する照明手段と、原稿の読取面に照射された光により読取面を撮像する撮像手段と、撮像手段より出力される信号から画像信号データを生成する画像読取装置において、演算処理手段と記憶手段とを有し、演算処理手段は、読取面が拡散反射面で形成され点光源を有する計測用原稿が原稿載置面に載置されて点光源を発光させたときに、点光源から出射する光により読取面の全面から反射した光を撮像手段で撮像し、撮像手段より出力される信号から点光源の発光画像領域を基本単位とした画像領域に分割した画像信号強度分布データを生成し、生成した画像信号強度分布データをフレア強度分布データに変換し、変換したフレア強度分布データとあらかじめ照明手段を発光して検出した読取面の照度分布データとからフレア補正データを算出して記憶手段に記憶させ、照明手段を発光して読み取った原稿の画像信号データと記憶手段に記憶したフレア補正データとによりフレア成分を補正した画像信号データを生成し、画像品質の良い読取画像を出力することを特徴とする。
【００２３】
上記記憶手段に、原稿の特定領域毎に複数のフレア補正データを記憶したり、原稿を読み取るときの変倍率毎に複数のフレア補正データを記憶して、原稿を読み取るときに変倍率を変えても、その変倍率に応じたフレア補正データを使用してフレア補正を行い良質な画像を出力する。
【００２４】
また、演算手段は、等倍時のフレア補正データから原稿を読み取るときの変倍率に応じたフレア補正データを算出して、記憶手段の記憶容量を増やさずに、変倍時でも、変倍率に応じたフレア補正データを使用してフレア補正を行い良質な画像を出力する。
【００２５】
この発明の他の画像読取装置は、原稿の読取面に光を照射する照明手段と、原稿の読取面に照射された光により読取面を撮像する撮像手段と、撮像手段より出力される信号から画像信号データを生成する画像読取装置において、照度分布データ記憶手段と演算処理手段及びフレア強度分布データ記憶手段とを有し、照度分布データ記憶手段には、あらかじめ照明手段を発光して検出した読取面の照度分布データを記憶し、演算処理手段は、読取面が拡散反射面で形成され点光源を有する計測用原稿が原稿載置面に載置されて点光源を発光させたときに、点光源から出射する光により読取面の全面から反射した光を撮像手段で撮像し、撮像手段より出力される信号から点光源の発光画像領域を基本単位とした画像領域に分割した画像信号強度分布データを生成し、生成した画像信号強度分布データをフレア強度分布データに変換し、変換したフレア強度分布データをフレア強度分布データ記憶手段に記憶させ、照明手段を発光して読み取った原稿の画像信号データとフレア強度分布データ記憶手段に記憶したフレア強度分布データと照度分布データ記憶手段に記憶した照度分布データとによりフレア補正した画像信号データを生成することを特徴とする。
【００２６】
上記フレア強度分布データ記憶手段に、原稿の特定領域毎に複数のフレア強度分布データを記憶したり、原稿を読み取るときの変倍率毎に複数のフレア強度分布データを記憶して、変倍率に応じてフレア補正を行い良質な画像を出力する。
【００２７】
この発明の画像形成装置は上記画像読取装置を有し、画像読取装置から出力されるフレアを除去した画像データにより画像を形成して、良質な画像を形成することを特徴とする。
【００２８】
【発明の実施の形態】
図１はこの発明の構成を示すブロック図である。図に示すように、デジタル複写機１は複写機本体２と原稿自動送り装置（以下、ＡＤＦという）３と自動仕分け装置４とを有する。複写機本体２は原稿を読み取るスキャナ部５と、書込ユニット６とエンジン部７及び給紙ユニット８とからなる画像形成部９を有する。ＡＤＦ３は読み取る原稿をスキャナ部５に送り、スキャナ部５で読み取った原稿を回収する。
【００２９】
スキャナ部５は、図２（ａ）の斜視図と（ｂ）の側面図に示すように、コンタクトガラス１０に載置された原稿１１に読取用の光を照射する光源１２とリフレクター１３及びミラー１４を有する第１の走行体１５と、複数のミラー１６を有する第２の走行体１７と、駆動モータ１８の回転により第１の走行体１５と第２の走行体１７をコンタクトガラス１０と平行に移動する駆動伝達手段１９と、第２の走行体１７のミラー８からの光を集光するレンズ２０と、レンズ２０で集光した光を入射する例えばラインＣＣＤからなる１次元撮像素子２１及び出力ポート２２を有する。そしてＡＤＦ３で送られた原稿を走査して読み取る。
【００３０】
書込ユニット６はレーザ光源やポリゴンミラー等を有し、画像情報を含むレーザビーム２３をエンジン部７に出射する。エンジン部７は、図３の構成図に示すように、画像形成ユニット２４と１次転写ユニット２５と２次転写ユニット２６及び定着ユニット２７を有する。画像形成ユニット２４は、感光体２８の周囲に配置された帯電チャージャ２９とシアン（Ｃ），マゼンタ（Ｍ），イエロー（Ｙ），ブラック（Ｋ）からなるカラー現像部３０及びドラムクリーニング部３１を有し、帯電チャージャ２９で帯電した感光体２８上に書込みユニット６から出射されるレーザビーム２３で静電潜像を形成し、形成した静電潜像をカラー現像部３０で可視化してトナー像を形成する。１次転写ユニット２５は中間転写ベルト３２と１次転写部３３とテンションローラ３４と２次転写ローラ３５とクリーニング部３６及び基準位置センサ３７を有し、感光体２８に形成されたトナー像を中間転写ベルト３２に１次転写して各色のトナー像を重ね合わす。中間転写ベルト３２は感光体２８上のトナー像を１次転写するとき以外は接離機構によって感光体２８表面から離れ、中間転写ベルト３２に画像を１次転写するときだけ感光体２８表面に圧接される。２次転写ユニット２６は中間転写ベルト３２に転写されたトナー像を記録紙に２次転写する。定着ユニット２７は記録紙に転写されたトナー像を熱と圧力で定着する。給紙ユニット８は複数の給紙カセット３８ａ〜３８ｃと手差トレイ３９を有し、記録紙を２次転写ユニット２６に送る。自動仕分け装置４は複数段の仕分けビン４０ａ〜４０ｎを有し、画像が形成された記録紙を仕分けして排出する。
【００３１】
このデジタル複写機１の制御部４１には、図４のブロック図に示すように、中央制御部４２とＡ／Ｄ変換部４３とシェーディング補正部４４と画像信号生成部４５と演算処理部４６とプログラム記憶部４７とデータ記憶部４８と補正データ記憶部４９と画像処理部５０と外部出力部５１及び外部記憶媒体制御部５２を有する。中央制御部３２は装置全体の動作を制御するＣＰＵを有し、原稿１１の画像を読み取り印刷するときに操作表示部５３から入力する各種印刷条件で装置全体の動作を管理する。データ記憶部４８には、図５に示すように、照度分布データ記憶領域４８１と画像信号強度分布データ記憶領域４８２とフレア強度分布データ記憶領域４８３及び画像データ記憶領域４８４を有する。画像処理部５０は画像認識部５４と変倍部５５とフィルタ部５６とγ補正部５７及び階調処理部５８を有する。外部記憶媒体制御部５２はフレキシブルディスクや光ディスク等の外部記憶媒体５９からの入出力を制御する。
【００３２】
このデジタル複写機１でスキャナ部５で読み取った原稿１１の画像形成サイクルが始まると、形成する画像が１色の場合は、読み取った原稿１１の画像データにより感光体２８にトナー像を形成し、形成されたトナー像を中間転写ベルト３２に１次転写する。２次転写ユニット２６は中間転写ベルト３２に転写されたトナー像の先端に合わせて給紙された記録紙にトナー像を２次転写する。トナー像を転写した記録紙は定着ユニット２７に送られ加熱，加圧して定着される。トナー像が定着された記録紙は自動仕分け装置４に排出される。また、中間転写ベルト３２に残留しているトナーはクリーニング部３６で回収する。
【００３３】
形成する画像が２色以上の場合は、中間転写ベルト３２に設けた基準マークを基準位置センサ３７で検出したことを基準にしてスキャナ部５で原稿１１を読み取り、読み取った画像データにより感光体２８に第１色目のトナー像を形成し、感光体２８に形成したトナー像を中間転写ベルト３２に１次転写する。引き続いて感光体２８に第２色目のトナー像を形成し、感光体２８に形成したトナー像を中間転写ベルト３２に１次転写する。この感光体２８に対する画像形成と中間転写ベルト３２に対する１次転写を各色毎に繰り返す。すなわち、２色の画像を形成する場合には中間転写ベルト３２を２回転し、フルカラーの画像を形成する場合には中間転写ベルト３２を４回転して、各回転毎に感光体２８に形成されたトナー像を中間転写ベルト３２に１次転写して各色の画像を位置ずれなしに重ね合わせる。所定の色のトナー像を中間転写ベルト３２に転写したら、中間転写ベルト３２に転写されたトナー像の先端に合わせて給紙された記録紙にトナー像を２次転写し、定着ユニット２７で加熱，加圧して定着する。
【００３４】
このようにスキャナ部５で原稿１１の画像を読み取ったとき、光源１２から出射された照明光のうち、コンタクトガラス１０に載置された原稿１１の撮像領域でない領域に照射された光が原稿１１から反射し、リフレクター１３等で反射したり散乱して撮像領域を照射して擬似信号であるフレアを発生させる。このフレアにより撮像領域周辺の原稿の画像濃度に変化が生じ、読取信号レベルが変化して画像読取不良が発生する。このフレアを補正するために、フレア補正データの計測とフレア補正の処理プログラムがあらかじめ制御部４１のプログラム記憶部４７に格納され、フレア補正データをあらかじめ計測して補正データ記憶部４９に格納しておく。まず、このフレア補正データを計測するときの構成と処理を説明する。
【００３５】
フレア補正データの計測用には、図６（ａ）の構成図に示すように、点光源装置６０とフレア計測用の専用原稿６１を使用する。点光源装置６０は光源装置６２と光ファイバ束６３と、光ファイバ束６３に接続冶具６４で接続された光ファイバ６５と、光ファイバ６６を専用原稿６１に固定する固定冶具６６を有する。光源装置６２は、スキャナ部５の光源１２にハロゲンランプを使用した場合はハロゲン光源を使用する。専用原稿６１は例えばＡ３サイズからなり、コンタクトガラス１０と接触する読取面が拡散反射面で形成され、図６（ｂ）に示すように、計測ポイントに光ファイバ６６の先端を固定する微小な穴６７が設けられ、穴６７に光ファイバ６６の先端を固定冶具６６で固定して、専用原稿６１の読取面に点光源６８を形成する。ここで専用原稿６１が光ファイバ６６の先端から出射する光を透過するものである場合は、穴６７を設けずに、専用原稿６１の表面に光ファイバ６６の先端を固定するようにしても良い。この点光源６８の発光部分は、実際には１画素内に収めることは困難であり、ある画像領域を持つ。そこで、この点光源６８の発光画像領域をフレア計測やフレア補正の基本単位とする。また、操作表示部５３にはフレア計測を設定する画面や設定機能、タッチパネル、フレア計測をスタートさせる操作機能などを備えている。
【００３６】
この点光源装置６０とフレア計測用の専用原稿６１を使用してフレア補正データを計測するときの処理を図７のフローチャートを参照して説明する。
【００３７】
まず、あらかじめスキャナ部５の光源１２を点灯し、原稿面の照度を照度計などで測定して、フレア強度分布の基本単位毎の照度分布データを作成して制御部４１のデータ記憶部４８の照度分布データ記憶領域４８１に記憶しておく（ステップＳ１）。この原稿面の照度分布は、図８の照度分布等高線表示例に示すように、撮像領域６９で光強度が最も大きく、撮像領域６９から離れるにしたがって光強度が小さくなる。この撮像領域６９の光強度を1.0とし、光強度に応じて相対的な値に変換して、図９に示す原稿面照度分布データ７０を作成する。ここで主走査方向は第１の走行体１５と第２の走行体１７の移動方向と直交する方向とし、副走査方向は第１の走行体１５と第２の走行体１７の移動方向とする。
【００３８】
この状態でコンタクトガラス１０に点光源６８を固定した専用原稿６１を載置し、操作表示部５３を操作してフレア計測設定を行い、フレア計測を開始する（ステップＳ２）。フレア計測を開始すると、光源装置６２が点灯し、点光源６８を発光させ、スキャナ部５の光源１２を点灯しないで第１の走行体１５と第２の走行体１７を専用原稿６１の先端から終端まで走査して専用原稿６１の読取面で反射した光信号を１次元撮像素子２１で受光する（ステップＳ３）。１次元撮像素子２１は受光した光信号を電気信号に変換し制御部４１に送る。制御部４１は送られた信号をＡ／Ｄ変換部４３でデジタル信号に変換し、変換したデジタル信号をシェーディング補正部４４でシェーディング補正し、画像信号生成部４５で点光源６８を有する専用原稿６１の全画像データをデータ記憶部４８の画像データ記憶領域４８４に格納する（ステップＳ４）。この画像データ記憶領域４８４に記憶した画像データを演算処理部４６で基本単位毎に切り出して基本単位毎に分割した画像信号強度分布データとして生成してデータ記憶部４８の画像信号強度分布データ記憶領域４８２に格納する（ステップＳ５，Ｓ６）。この画像信号強度分布データの各基本単位のデータは、各基本単位の読値を基本単位の画素数で割った平均値とする。例えば基本単位の画素数が２５で、主走査方向と副走査方向をそれぞれ１７個の領域とした画像信号強度分布の表示例７１を図１０に示す。図１０に示すように、点光源６８の領域で画像信号強度が最も大きく、周辺領域にフレアによリ画像信号強度が異なる領域が分散して生じている。この基本単位は、１画素でもかまわないし、スキャナ部５の特性により最適と思われる単位を決定すると良い。
【００３９】
次に、演算処理部４６は画像信号強度分布データ記憶領域４８２に格納した画像信号強度分布データを取り出してフレア強度分布を計算する（ステップＳ７）。画像信号強度分布データは、点光源６８による周辺画像へのフレアの影響度であるので、注目する基本単位が、周辺から受けるフレアの影響度であるフレア強度分布へ変換してフレア強度分布データ記憶領域４８３に格納する。この変換処理は、画像信号強度分布データに対して点光源６８を有する基本単位を中心に点対称移動を行いフレア強度分布を作成する。例えば、図１１（ａ）に示す画像信号強度分布データ７２の点光源６８を有する基本単位Ｘ３３を中心に基本単位Ｘ２２をＸ４４の位置へ、基本単位Ｘ４４を基本単位Ｘ２２の位置へ転置移動させて、図１１（ｂ）に示すフレア強度分布データ７３を作成する。これは、例えば、点光源６８を有する基本単位Ｘ３３から左１にある領域に基本単位Ｘ３３からのフレア影響量が0.015であると、その左１の位置に注目したとき、ここに入るフレア量は0.015であり、それは右１の方向から入るとみなせるからである。
【００４０】
その後、演算処理部４６はフレア強度分布データ記憶領域４８３に記憶したフレア強度分布データと照度分布データ記憶領域４８１に記憶した照度分布データを取出し、両データを各要素ごとに乗算して、原稿面の照度分布を考慮したフレア補正データを算出し、補正データ記憶部４９に記憶する（ステップＳ８）。実際のフレア補正データ７４の事例を図１２に示す。
【００４１】
次にスキャナ部５で原稿１１の画像を読み取ったときにフレア補正データを使用してフレア補正を行うときの処理を図１３のフローチャートを参照して説明する。この場合、データ記憶部４８の画像データ記憶領域４８４は原稿１１の全画像分の画像データを記憶する記憶容量があるとする。
【００４２】
コンタクトガラス１０上に原稿１１を載置し、操作表示部５３で倍率を100％に設定し、フレア補正処理を指定してスタートボタンを押すと、原稿１１を照明する光源１２が撮像領域に光を照射し、第１の走行体１５と第２の走行体１７が移動して原稿１１の先頭から終わりまで走査して画像読取りを実行し、原稿１１からの反射光を１次元撮像素子２１に集光する（ステップＳ１１）。１次元撮像素子２１は受光した光信号を電気信号に変換し制御部４１に送る。制御部４１は送られた信号をＡ／Ｄ変換部４３でデジタル信号に変換し、変換したデジタル信号をシェーディング補正部４４でシェーディング補正し、画像信号生成部４５で原稿１１の画像信号データを生成してデータ記憶部４８の画像データ記憶領域４８４に格納する（ステップＳ１２，Ｓ１３）。次に演算処理部４６は補正データ記憶部４９に記憶したフレア補正データと画像データ記憶領域４８４に記憶した画像信号データを取出し、フレア補正データと画像信号データとをマトリクス演算してフレア成分を補正した画像信号データを算出し、画像データ記憶領域４８４に格納する（ステップＳ１４，Ｓ１５，Ｓ１６）。このフレア補正データと画像信号データのマトリックス演算は、例えば図１４に示すように、画像信号データ７５において、注目領域Ｘ３３が、領域Ｘ２１から影響されるフレア量は、フレア補正データ７４を用いると、Ｋ１１×Ｘ２１／Ｋ２３となり、領域Ｘ３１から影響されるフレア量は、Ｋ２１×Ｘ３１／Ｋ２３となる。この演算を注目領域Ｘ３３以外の全ての領域の画像信号データに施し、各周辺画素毎のフレア量を合計した結果にＸ３３／２５５を乗算して、注目領域Ｘ３３の読値から減算すればフレアの影響のない画像信号データを得ることができる。この処理を全ての画像信号データに施すことによりフレア補正画像信号データを生成することができる。
【００４３】
画像処理部５０は画像データ記憶領域４８４に記憶したフレア補正画像信号データを取出して各種処理を行う。例えば画像認識部５４は、画像信号データに応じて文字領域か絵柄領域かを判定し、変倍部５５は主走査方向の拡大、縮小、あるいは等倍処理を行い、フィルタ部５６では画像形成部９の周波数特性や画像認識部５４の判定結果に基づいてＭ×Ｎの空間フィルタを用い、平滑化処理や鮮鋭化処理を行う。また、γ補正部５７は画像形成部９の周波数特性や画像認識部５４の判定結果に基づいてγカーブを変更して補正処理を実行し、階調処理部５８は画像形成部９の周波数特性や画像認識部５４の判定結果に基づいてディザ処理などの量子化を行う。この各種処理された画像データが画像形成部９に送られ、画像形成部９で記録紙に画像を形成する。また、要求があれば、外部出力部５１から補正画像信号データが出力される。
【００４４】
例えば、図１５（ａ）に示すように、フレアの影響が顕著に現れるように、白い普通紙の白領域を部分的に切取り、広い黒領域７６に挟まれた狭い白領域７７がある原稿１１を作成し、この原稿１１をスキャナ部５で読取り、フレア補正処理を行わずに記録紙に形成した画像７８を（ｂ）に示し、フレア補正処理をして記録紙に形成した画像７９を（ｃ）に示す。ここで黒領域は、原稿１１を切り取った部分で、スキャナ部５の圧板を開放して意図的に光を反射させなかった部分である。図１５（ｂ）に示すように広い黒領域７６で挟まれた狭い白領域７７の読値が、他の白領域より小さいが、（ｃ）に示すように、フレア補正処理を行うことにより、狭い白領域７７を他の白領域と均一にすることができる。
【００４５】
また、データ記憶部４８の画像データ記憶領域４８４には原稿１１の全画像分の画像データを記憶する記憶容量がない場合のフレア補正処理は、図１３（ｂ）のフローチャートに示すように、スキャナ部５で原稿１１の画像を読み込むときに、演算処理部４６で補正データ記憶部４９からフレア補正データを取出しておき（ステップＳ２１）、画像信号生成部４５で生成された画像信号データをマトリックス演算に比例した分、例えば、読取り画像の主走査方向全域を１ラインとしたとき、７ライン分の画像信号データを画像データ記憶領域４８４に保持する（ステップＳ２２，Ｓ２３）。この保持した７ライン分の画像信号データとフレア補正データを使用してフレア成分を補正する（ステップＳ２４）。このフレア補正した画像信号データを画像処理部５０で逐次処理して出力する（ステップＳ２５）。このようにしてデータ記憶部４８の記憶容量には影響されずにフレア補正を行うことができ、良質が画像を安定して出力することができる。
【００４６】
このようにスキャナ部５で読み取った画像信号データをフレア補正する場合、フレア補正データで全画像領域を高精度に補正する必要がある。また、通常スキャナ部５では、原稿１１の画像を変倍して読み取る場合もあり、変倍して読み取る場合でも高精度にフレアを補正する必要がある。そこで例えばＡ３の原稿１１を載置するコンタクトガラス１０の原稿読取面１０ａを複数領域、例えば図１６（ａ）に示すように６分割したり、（ｂ）に示すように９分割し、分割した各領域毎にフレア補正データを計測して補正データ記憶部４９に記憶しておく。そして読み取った画像信号データをフレア補正するときに、画像信号データを読み取った領域のフレア補正データを使用してフレア補正を行うと良い。このように原稿１１の画像を読み取った領域毎に、対応するフレア補正データでフレア補正を行うことにより、読み取った画像信号データを高精度に補正することができる。
【００４７】
また、スキャナ部５で原稿１１の画像を変倍して読み取る場合、図１７（ｂ）に示すように等倍画像データの副走査方向の１００画素を基準とすると、２００％変倍時には、図１７（ａ）に示すように、画像データの２００画素が、５０％変倍時には、図１７（ｃ）に示すように、画像データの５０画素が最初に読み取られる。この読み取った画像信号データを画像処理部５０で画像処理を施すことにより主走査方向と副走査方向の変倍率を調整している。２００％変倍時には走査する線速度が等倍時に比べて遅くなり、５０％変倍時には走査する線速度が等倍時に比べて早くなる。このため対応するフレア補正データも変わる。そこで変倍率に対応した複数のフレア補正データを補正データ記憶部４９に格納しておき、画像信号データをフレア補正するときに、変倍率に対応したフレア補正データを取出してフレア補正するようにしても良い。
【００４８】
さらに、例えばＡ３サイズの原稿１１の全面の画像データにおいて、等倍時のフレア補正データが、図１８（ａ）に示すように、１２０ｍｍ×２０ｍｍの領域８０で生成されているとすると、２００％変倍時のフレア補正データの領域８１は、図１８（ｂ）に示すように、等倍時のフレア補正データの領域８０の２倍必要であり、５０％変倍時のフレア補正データの領域８２は１／２倍必要である。フレアを補正するときの等倍時の基本単位を例えば主走査３０×副走査１０画素とすると、２００％変倍時では主走査３０×副走査２０画素、５０％変倍時では主走査３０×副走査５画素を基本単位としてフレア補正計算を行うようにしても良い。すなわち、この場合は、演算処理部４６でフレア補正を行うときに、補正データ記憶部４９に記憶した等倍時のフレア補正データを使用し、
副走査画素数＝（等倍時の副走査基本画素数×変倍率）
により変倍時のフレア補正を適用する画像領域を決めてフレア補正することにより、フレア補正データ自身は、等倍時のデータを記憶しておくだけで済む。
【００４９】
前記説明では原稿面の照度を照度計などで測定して照度分布データを作成した場合について説明したが、ＣＣＤカメラで撮像した照度分布画像から算出するようにしても良い。このＣＣＤカメラで撮像した照度分布画像から照度分布データを作成する照度分布計測装置は、図１９の構成図に示すように、コンタクトガラス１０上に載置する拡散透過板８５とＣＣＤカメラ８６及び演算処理装置８７を有する。拡散透過板８５は、図２０の断面図に示すように、例えば拡散反射フィルム８５１とＮＤフィルタ（neutral density filter）８５２で構成されている。そして光源１２を発光させて拡散透過板８５の上方からの拡散光８８をＣＣＤカメラ８６で撮像し、この拡散光の像を演算処理装置８７で処理して２次元照度分布データを算出してデジタル複写機１に送り制御部４の照度分布データ記憶領域４８１に記憶させる。この演算処理装置８７で２次元照度分布データを算出するとき、原稿面の全領域における照度分布の平均値を照度分布データとしても良いし、代表的な原稿面数個所の平均値を照度分布データとしても良い。また、カラースキャナであればＲＧＢそれぞれのデータを持てば良い。このように光源１２を発光させて２次元照度分布データを作成することにより、画像信号データに影響するフレア成分を精度良く補正することができる。
【００５０】
また、前記説明では画像信号強度分布データからフレア強度分布を計算し、計算したフレア強度分布データとあらかじめ検出した照度分布データからフレア補正データを算出して補正データ記憶部４９にあらかじめ記憶しておき、原稿１１の画像を読み取ったとき、読み取った画像データを補正データ記憶部４９に記憶したフレア補正データを使用してフレア補正を行った場合について説明したが、あらかじめ照度分布データとフレア強度分布データをデータ記憶部４８の照度分布データ記憶領域４８１とフレア強度分布データ記憶領域４８３に記憶しておき、原稿１１の画像を読み取ってフレア補正するときに、フレア強度分布データと照度分布データを読み出してフレア補正するようにしても良い。
【００５１】
この原稿１１の画像を読み取ってフレア補正するときに、フレア強度分布データと照度分布データを読み出してフレア補正する場合について説明する。
【００５２】
まず、コンタクトガラス１０に点光源６８を固定した専用原稿６１を載置し、スキャナ部５の光源１２を点灯しないで点光源６８を発光させてフレア計測を行い、図１１に示すように画像信号強度分布データ７２を生成してデータ記憶部４８の画像信号強度分布データ記憶領域４８２に格納する。この画像信号強度分布データ記憶領域４８２に格納した画像信号強度分布データ７２から演算処理部４６でフレア強度分布を計算し、フレア強度分布データ７３をフレア強度分布データ記憶領域４８３に格納する。
【００５３】
この状態でスキャナ部５で原稿１１の画像を読み取り、読み取った画像信号データ７５をデータ記憶部４８の画像データ記憶領域４８４に格納する。次に、図２１に示すように、制御部４１の演算処理部４６はフレア強度分布データ記憶領域４８３に記憶したフレア強度分布データ７３と照度分布データ記憶領域４８１に記憶した照度分布データ８９を取り出し、画像データ記憶領域４８４に格納した画像信号データ７５とマトリクス演算してフレア補正を行う。このマトリックス演算は、例えば画像信号データ７５の注目領域Ｘ３３が領域Ｘ２１から影響されるフレア量は、フレア強度分布データ７３と照度分布データ８９を用いると、Ｆ１１×Ｓ１１×Ｘ２１／Ｆ２３となり、領域Ｘ３１から影響されるフレア量は、Ｆ２１×Ｓ２１×Ｘ３１／Ｆ２３となる。この演算を領域Ｘ３３以外のすべての画像信号データに施し、各周辺画素毎のフレア量を合計した結果にＸ３３／２５５を乗算して、注目領域Ｘ３３の読値から減算すれば、フレアの影響のない画像信号データが求まる。この操作をすべての画像信号データに施してフレア補正画像信号データを生成し、補正データ記憶部４９に格納する。このようにフレア強度分布データ７３と照度分布データ８９から画像信号データ７５に影響するフレア成分を補正することにより、品質の良い画像を読み取ることができ、良質な画像を形成することができる。
【００５４】
上記説明ではスキャナ部５で原稿１１の画像を変倍して読み取ることができる場合について説明したが、図２２（ａ）の斜視図と（ｂ）の側面図に示すように、コンタクトガラス１０に載置された原稿１１に読取用の光を照射する光源１２とリフレクター１３及びレンズ２０とともに等倍結像素子８３を走行体８４に設けたスキャナ部５ａにも同様に適用することができる。
【００５５】
また、上記説明ではデジタル複写機１について説明したが、原稿１１の画像を読み取りパソコン等の端末装置に出力するスキャナ装置においても、同様にしてフレア補正データを作成し、作成したフレア補正データにより読み取った画像信号データのフレア補正を行うことができる。
【００５６】
さらに、上記説明では制御部４１のプログラム記憶部４７にフレア計測とフレア補正データの作成及びフレア補正の処理プログラムを格納しておいた場合について説明したが、フレア計測とフレア補正データ作成の処理プログラムを外部記憶媒体５９に格納しておき、フレア補正の処理プログラムをプログラム記憶部４７に記憶しておき、フレア補正データを作成するときに中央制御部４２で外部記憶媒体５９からフレア計測とフレア補正データの作成の処理プログラムを読み込んでフレア補正データを作成するようにしても良い。また、フレア計測とフレア補正データの作成及びフレア補正の処理プログラムを外部記憶媒体５９に格納しておき、フレア計測とフレア補正データ作成の処理プログラムとともにフレア補正の処理プログラムを外部記憶媒体５９に格納しておき、フレア補正データを作成するとき及びフレア補正を行うときに、中央制御部４２でこれらの処理プログラムを外部記憶媒体５９から読み込むようにしても良い。このように外部記憶媒体５９に、これらの処理プログラムを格納しておくことにより、フレア補正の汎用性を高めるとともに既設の複写機やスキャナ装置においてもフレア補正を行った良質な画像を読み取り形成することができる。
【００５７】
【発明の効果】
この発明は以上説明したように、読取面が拡散反射面で形成された計測用原稿に点光源を設け、点光源から出射する光により読取面の全面から反射した光を撮像手段で撮像し、撮像手段より出力される信号から点光源の発光画像領域を基本単位とした画像領域に分割した画像信号強度分布データを生成し、生成した画像信号強度分布データとあらかじめ照明手段を発光して検出した読取面の照度分布データとからフレア補正データを算出することにより、簡単な構成で原稿面反射成分によるフレアの状態を検出することができる。
【００５８】
また、画像信号強度分布データと読取面の照度分布データを各画像領域毎に乗算して原稿面に応じたフレア補正データを算出することにより、原稿面反射成分によるフレアの状態を精度良く検出することができる。
【００５９】
さらに、照明手段を発光して読み取った原稿の画像信号データとあらかじめ算出したフレア補正データとによりフレア成分を補正した画像信号データを生成することにより、読み取った画像をフレアを除去した品質の良い画像に変換することができる。
【００６０】
このフレアを補正するときに、読み取った原稿の画像信号データをフレア補正データの画像領域ごとに分割し、分割した画像信号データの注目データに対し、注目データ以外の画像領域に対応したフレア補正データとのマトリックス計算から原稿面反射フレア量を算出し、注目データから算出した原稿面反射フレア量を減算してフレア成分を補正した画像信号データを生成することにより、簡単な処理で読取画像の品質を向上することができる。
【００６１】
また、原稿の画像信号データをフレア補正するとき、あらかじめ記憶したフレア強度分布データと照度分布データとを使用してフレア補正することにより、読み取った画像信号データを簡単な処理でフレア補正することができ、フレアを除去した品質の良い画像を迅速に出力することができる。
【００６２】
また、フレア補正データ計測方法の処理プログラムとフレア補正方法の処理プログラムのいずれか一方又は両方を記憶媒体に格納しておくことにより、フレア補正データ計測処理やフレア補正処理の汎用性を高めるとともに、既設のスキャナ装置や複写機でもフレアを除去した読取画像を出力することができる。
【００６３】
さらに、画像読取装置に、読取面が拡散反射面で形成され点光源を有する計測用原稿が原稿載置面に載置されて点光源を発光させたときに、点光源から出射する光により読取面の全面から反射した光を撮像手段で撮像し、撮像手段より出力される信号から点光源の発光画像領域を基本単位とした画像領域に分割した画像信号強度分布データを生成し、生成した画像信号強度分布データとあらかじめ照明手段を発光して検出した読取面の照度分布データとからフレア補正データを算出して記憶手段に記憶させたり、画像信号強度分布データをフレア強度分布データに変換して記憶させ、照明手段を発光して読み取った原稿の画像信号データを、記憶したフレア補正データ、又はフレア強度分布データと照度分布データを使用してフレア成分を補正することにより、画像品質の良い読取画像を安定して出力することができる。
【００６４】
また、画像読取装置に、原稿の特定領域毎に複数のフレア補正データやフレア強度分布データを記憶したり、原稿を読み取るときの変倍率毎に複数のフレア補正データやフレア強度分布データを記憶することにより、原稿を読み取るときに変倍率を変えても、その変倍率に応じたフレア補正を行い良質な画像を出力することができる。
【００６５】
また、演算処理手段は、等倍時のフレア補正データから原稿を読み取るときの変倍率に応じたフレア補正データを算出することにより、記憶手段の記憶容量を増やさずに、変倍時でも変倍率に応じたフレア補正データを使用してフレア補正を行い良質な画像を出力することができる。
【００６６】
さらに、上記画像読取装置を画像形成装置に設け、画像読取装置から出力されるフレアを除去した画像データにより画像を形成することにより、良質な画像を安定して形成することができる。
【図面の簡単な説明】
【図１】この発明のデジタル複写機の構成図である。
【図２】スキャナ部の構成図である。
【図３】エンジン部の構成図である。
【図４】制御部の構成を示すブロック図である。
【図５】データ記憶部の構成図である。
【図６】フレア補正データ計測用の装置の構成図である。
【図７】フレア補正データの計測処理を示すフローチャートである。
【図８】原稿面の照度分布を測定したときの照度分布等高線の表示図である。
【図９】原稿面の照度分布データの構成図である。
【図１０】フレア補正データの計測時の画像信号強度分布の表示図である。
【図１１】画像信号強度分布からフレア補正データを作成する処理を示す説明図である。
【図１２】フレア補正データの一例を示す説明図である。
【図１３】フレア補正処理を示すフローチャートである。
【図１４】フレア補正処理を示す説明図である。
【図１５】フレア補正処理の有無による画像を示す模式図である。
【図１６】フレア補正データを作成するときに読取面を複数に分割した状態を示す模式図である。
【図１７】等倍時と変倍時の読取画素領域を示す模式図である。
【図１８】等倍時と変倍時のフレア補正データ領域を示す模式図である。
【図１９】照度分布計測装置の構成図である。
【図２０】照度分布計測装置の拡散透過板の構成を示す断面図である。
【図２１】フレア強度分布データと照度分布データによるフレア補正処理を示す説明図である。
【図２２】スキャナ部の他の構成図である。
【図２３】読取面からの反射で生じるフレアの説明図である。
【図２４】従来例の画像評価方法を示す説明図である。
【符号の説明】
１；デジタル複写機、２；複写機本体、３；ＡＤＦ、４；自動仕分け装置、
５；スキャナ部、６；書込ユニット、７；エンジン部、８；給紙ユニット、
９；画像形成部、１０；コンタクトガラス、１１；原稿、１２；光源、
１３；リフレクター、１４；ミラー、１５；第１の走行体、１６；ミラー、
１７；第２の走行体、１９；駆動伝達手段、２０；レンズ、
２１；１次元撮像素子、２４；画像形成ユニット、
２５；１次転写ユニット、２６；２次転写ユニット、２７；定着ユニット、
４１；制御部、４２；中央制御部、４６；演算処理部、
４７；プログラム記憶部、４８；データ記憶部、４９；補正データ記憶部、
６０；点光源装置、６１；フレア計測用の専用原稿。
【図１】
0004159867.tif 000002
【図２】
0004159867.tif 000003
【図３】
0004159867.tif 000004
【図４】
0004159867.tif 000005
【図５】
0004159867.tif 000006
【図６】
0004159867.tif 000007
【図７】
0004159867.tif 000008
【図８】
0004159867.tif 000009
【図９】
0004159867.tif 000010
【図１０】
0004159867.tif 000011
【図１１】
0004159867.tif 000012
【図１２】
0004159867.tif 000013
【図１３】
0004159867.tif 000014
【図１４】
0004159867.tif 000015
【図１５】
0004159867.tif 000016
【図１６】
0004159867.tif 000017
【図１７】
0004159867.tif 000018
【図１８】
0004159867.tif 000019
【図１９】
0004159867.tif 000020
【図２０】
0004159867.tif 000021
【図２１】
0004159867.tif 000022
【図２２】
0004159867.tif 000023
【図２３】
0004159867.tif 000024
【図２４】
0004159867.tif 000025